(57)【要約】  起動させたい装置を容易に起動させる。  データを処理する情報処理装置（１１）と、情報処理装置（１１）と並列に動作可能であって携帯電話機能を実現する情報処理装置（１２）とを一体に備えるとともに、電源制御のための押圧操作を受け付ける電源スイッチ（１３ａ）と、電源スイッチ（１３ａ）に対する押圧操作の種類を所定の操作検出条件に従って検出する検出部（１３ｂ）と、電源スイッチ（１３ａ）に対して押圧操作が実行されたとき、検出部（１３ｂ）による検出結果に応じて、情報処理装置（１１）および情報処理装置（１２）のいずれか一方を起動させる状態制御部（１３ｃ）と、を有する携帯型装置（１０）によって、起動させたい装置を容易に起動できる。
2009118891.tif 000002
【特許請求の範囲】
【請求項１】
データを処理する第１の情報処理装置と、前記第１の情報処理装置と並列に動作可能であって携帯電話機能を実現する第２の情報処理装置とを一体に備える携帯型装置において、
電源制御のための押圧操作を受け付ける電源スイッチと、
前記電源スイッチに対する押圧操作の種類を所定の操作検出条件に従って検出する検出部と、
前記電源スイッチに対して押圧操作が実行されたとき、前記検出部による検出結果に応じて、前記第１の情報処理装置および前記第２の情報処理装置のいずれか一方を起動させる状態制御部と、
を有することを特徴とする携帯型装置。
【請求項２】
前記状態制御部は、
前記第１の情報処理装置および前記第２の情報処理装置の少なくとも一方の起動後、
前記電源スイッチに対して押圧操作が実行された時、
前記第１の情報処理装置と前記第２の情報処理装置のうち、通常起動状態とする装置を入れ替えることを特徴とする請求の範囲第１項記載の携帯型装置。
【請求項３】
前記状態制御部は、
前記第１の情報処理装置および前記第２の情報処理装置の少なくとも一方の起動後、
前記電源スイッチに対して押圧操作が実行された時、
前記第１の情報処理装置および前記第２の情報処理装置の両方を停止させることを特徴とする請求の範囲第１または２項に記載の携帯型装置。
【請求項４】
前記状態制御部は、
前記第１の情報処理装置および前記第２の情報処理装置の少なくとも一方の起動後、
前記電源スイッチに対して押圧操作が実行された時、
前記検出部による検出結果に応じて、前記第１の情報処理装置と前記第２の情報処理装置のうち、通常起動状態とする装置を入れ替えるか、あるいは、両方の装置を停止させるかを判別することを特徴とする請求の範囲第１乃至３項のいずれか１項に記載の携帯型装置。
【請求項５】
前記操作検出条件は、所定の時間内での前記電源スイッチに対する押圧操作の回数に応じた条件であることを特徴とする請求の範囲第１乃至４項のいずれか１項に記載の携帯型装置。
【請求項６】
前記操作検出条件は、前記電源スイッチの連続した押圧操作の時間に応じた条件であることを特徴とする請求の範囲第１乃至４項のいずれか１項に記載の携帯型装置。
【請求項７】
前記第１の情報処理装置および前記第２の情報処理装置は、各々の電源状態に応じて、異なる色を出力する電源状態表示部を有することを特徴とする請求の範囲第１乃至６項のいずれか１項に記載の携帯型装置。
【請求項８】
データを処理する第１の情報処理装置と、前記第１の情報処理装置と並列に動作可能であって携帯電話機能を実現する第２の情報処理装置とを一体に備える携帯型装置において、
電源制御のための押圧操作を受け付ける電源スイッチと、
前記電源スイッチに対する押圧操作の種類を所定の操作検出条件に従って検出する検出部と、
前記電源スイッチに対する押圧操作が実行されたとき、前記第２の情報処理装置を起動させるとともに、前記検出部による検出結果に応じて、前記第１の情報処理装置を起動させるか否かを判別する状態制御部と、
を有することを特徴とする携帯型装置。
【請求項９】
データを処理する第１の情報処理装置と、前記第１の情報処理装置と並列に動作可能であって携帯電話機能を実現する第２の情報処理装置とを一体に備える携帯型装置の起動方法において、
電源スイッチに対して電源制御のための押圧操作が実行されると、検出部が、前記電源スイッチに対する押圧操作の種類を所定の操作検出条件に従って検出し、
状態制御部が、前記検出部による検出結果に応じて、前記第１の情報処理装置および前記第２の情報処理装置のいずれか一方を起動させる、
ことを特徴とする携帯型装置の起動方法。
【請求項１０】
データを処理する第１の情報処理装置と、前記第１の情報処理装置と並列に動作可能であって携帯電話機能を実現する第２の情報処理装置とを一体に備える携帯型装置の起動方法において、
電源スイッチに対する電源制御のための押圧操作が実行されると、検出部が、前記電源スイッチに対する押圧操作の種類を所定の操作検出条件に従って検出し、
状態制御部が、前記電源スイッチに対する押圧操作に応じて、前記第２の情報処理装置を起動させるとともに、前記検出部による検出結果に応じて、前記第１の情報処理装置を起動させるか否かを判別する、
ことを特徴とする携帯型装置の起動方法。
【発明の詳細な説明】
【技術分野】
【０００１】
本発明は携帯型装置および携帯型装置の起動方法に関し、特に、２つのシステムを備える携帯型装置および携帯型装置の起動方法に関する。
【背景技術】
【０００２】
近年、ハードウェアデバイスの小型化・高性能化が進んでいる。これに伴って、携帯可能な１つの小型端末内で複数の異なる用途のシステムを実現することが可能になってきている。一般に、単一のシステム上では、ＣＰＵ（Central Processing Unit）やＲＡＭ（Random Access Memory）などの１式のハードウェア資源に対して１以上のオペレーティングシステム（Operating System：以下、ＯＳという）が実行される。しかし、上記のような小型端末では、例えば、コンピュータの機能を実行する１式のハードウェア資源と携帯電話の機能を実行する１式のハードウェア資源とが、それぞれ独立したシステムとして搭載される。そして、各システムで個別のＯＳが実行され、コンピュータと携帯電話との２つの機能が１つの小型端末によって実現される。このような小型端末では、例えば、装置の小型化のためにモニタや入力装置は２つのシステムで共有される。この場合、利用者は、同一の端末にてモニタに表示される画面を切り換えることで、２つのシステムの機能を利用することができる。【０００３】
また、単一のシステム上で複数のＯＳを実行させて、各ＯＳおよびその上で実行可能なアプリケーションソフト（以下、アプリケーションという）を切り換えて利用するという方法も、従来良く知られている技術である。この方法を用いたシステムの例として、次回のシステム起動時にロードすべきＯＳをあらかじめ指定する機能を有するデータ処理システムがある。そして、このデータ処理システムでは、メモリに複数のＯＳが格納されており、システム起動時には、ユーザによって事前に選択できるＯＳシステムがロードされる技術が知られている（例えば、特許文献１参照）。
【特許文献１】特開２００１−２４３０７６号公報
【発明の開示】
【発明が解決しようとする課題】
【０００４】
しかし、コンピュータと携帯電話との２つの機能が１つの携帯型装置で実現される場合には、次のような問題点があった。
コンピュータ機能と、コンピュータ機能よりも消費電力が小さい携帯電話機能とを単純に合わせた携帯型装置では、ユーザによる利用目的は状況に応じて変化する。このため、事前に選択されているＯＳが必ずしも、今回利用したいＯＳであるとは限らないという問題点があった。【０００５】
また、このような携帯型装置の電源がオフまたはサスペンド状態にあれば、携帯電話機能のみを利用したい場合、携帯型装置に共通の電源ボタンを押すと、必要のないコンピュータ機能も起動してしまう。一般的にコンピュータ機能は、携帯電話機能と比較して起動状態またはサスペンド状態からの復帰に時間がかかるとともに、起動状態やサスペンド状態からの復帰のための電力消費も大きい。すなわち、必要のないコンピュータ機能まで起動してしまうことで、使用可能になるまでの時間が長くなり、また余計な電力を消費してしまうという問題があった。【０００６】
本発明はこのような点に鑑みてなされたものであり、バッテリの無駄な消費を抑えた携帯型装置および携帯型装置の起動方法を提供することを目的とする。
【課題を解決するための手段】
【０００７】
上記目的を達成するために、データを処理する第１の情報処理装置と、前記第１の情報処理装置と並列に動作可能であって携帯電話機能を実現する第２の情報処理装置とを一体に備える携帯型装置が提供される。【０００８】
この携帯型装置は、電源制御のための押圧操作を受け付ける電源スイッチと、前記電源スイッチに対する押圧操作の種類を所定の操作検出条件に従って検出する検出部と、前記電源スイッチに対して押圧操作が実行されたとき、前記検出部による検出結果に応じて、前記第１の情報処理装置および前記第２の情報処理装置のいずれか一方を起動させる起動制御部と、を有する。【０００９】
このような携帯型装置によれば、検出部によって、電源スイッチに対する押圧操作の種類が所定の操作検出条件に従って検出され、状態制御部によって、電源スイッチに対する押圧操作が実行されたときの検出部による検出結果に応じて、第１の情報処理装置および第２の情報処理装置のいずれか一方が起動させられるようになる。【００１０】
また、上記目的を達成するために、データを処理する第１の情報処理装置と、前記第１の情報処理装置と並列に動作可能であって携帯電話機能を実現する第２の情報処理装置とを一体に備える携帯型装置が提供される。【００１１】
この携帯型装置は、電源制御のための押圧操作を受け付ける電源スイッチと、前記電源スイッチに対する押圧操作の種類を所定の操作検出条件に従って検出する検出部と、前記電源スイッチに対する押圧操作が実行されたとき、前記第２の情報処理装置を起動させるとともに、前記検出部の検出結果に応じて、前記第１の情報処理装置を起動させるか否かを判別する状態制御部と、を有する。【００１２】
このような携帯型装置によれば、検出部によって、電源スイッチに対する押圧操作の種類が所定の操作検出条件に従って検出され、状態制御部によって、電源スイッチに対する押圧操作が実行されたとき、第２の情報処理装置が起動させられるとともに、検出部の検出結果に応じて、第１の情報処理装置を起動させるか否かが判別されるようになる。
【発明の効果】
【００１３】
上記携帯型装置では、起動させたい装置を容易に起動させることができる。
本発明の上記および他の目的、特徴および利点は本発明の例として好ましい実施の形態を表す添付の図面と関連した以下の説明により明らかになるであろう。
【図面の簡単な説明】
【００１４】
【図１】実施の形態の概要を説明する概念図である。
【図２】実施の形態における携帯端末のハードウェア構成を示す図である。
【図３】実施の形態における携帯端末の機能を示す図である。
【図４】実施の形態における携帯端末の状態制御部が押圧操作回数に応じて行った処理を示したフローチャートである。
【図５】実施の形態における携帯端末の状態制御部が押圧操作時間に応じて行った処理を示したフローチャートである。
【図６】実施の形態における携帯端末の状態制御部が押圧操作回数および押圧操作時間に応じて行った処理を示したフローチャートである。
【発明を実施するための最良の形態】
【００１５】
以下、実施の形態について図面を参照しながら説明する。但し、本発明の技術的範囲はこれらの実施の形態に限定されるものではない。なお、以下の図面の記載において、同一または類似の部分は同一または類似の符号を付している。【００１６】
まず、本実施の形態の概要について図面を参照しながら説明する。
図１は、実施の形態の概要を説明する概念図である。
携帯型装置１０は、図１に示すように、情報処理装置１１と、情報処理装置１１と並列に動作可能な情報処理装置１２と、情報処理装置１１，１２にアクセス可能な電源管理部１３とを有する。なお、情報処理装置１１，１２は、例えば、それぞれ個別のＣＰＵによる制御の下で、各種のアプリケーションプログラムが実行され、また、内部回路が動作する。【００１７】
情報処理装置１１は、内部に制御部（図示を省略）などを有し、例えばプログラムの実行などにより、データを処理する機能を備えている。
情報処理装置１２は、内部に無線通信モジュール（図示を省略）および通話部（図示を省略）などを備え、携帯電話機能を実現する。【００１８】
電源管理部１３は、電源スイッチ１３ａ、検出部１３ｂおよび状態制御部１３ｃをさらに含んでいる。
電源スイッチ１３ａは、携帯型装置１０に対する電源の入力を行うために、外部から押圧操作が行われる。例えば、電源スイッチ１３ａはボタンになっており、ボタンに対して押圧操作が行われる。【００１９】
検出部１３ｂは、電源スイッチ１３ａに対して行われた押圧操作から、押圧操作の種類を検出する。また、検出部１３ｂの検出は、所定の操作検出条件に従って行われる。操作検出条件としては、例えば、電源スイッチ１３ａに対する押圧操作時間や所定の時間内で押圧操作を行った押圧操作回数などが挙げられる。【００２０】
状態制御部１３ｃは、情報処理装置１１，１２にアクセス可能であって、検出部１３ｂで検出された押圧操作に応じて、情報処理装置１１，１２を任意に起動させることができる。【００２１】
次に、このような構成を有する携帯型装置１０の起動方法の概要について説明する。
まず、携帯型装置１０には電源が入っておらず、情報処理装置１１，１２はいずれも停止状態であるとする。【００２２】
そして、携帯型装置１０に電源を入れるために、電源スイッチ１３ａに対して押圧操作が行われる。すると、検出部１３ｂは、電源スイッチ１３ａに対して行われた押圧操作の種類を所定の操作検出条件に従って検出する。【００２３】
最終的に、状態制御部１３ｃは、検出部１３ｂから通知された押圧操作に応じて、情報処理装置１１，１２のいずれか一方を起動させる。
このような起動方法について、押圧操作を検出するための操作検出条件の例として、押圧操作回数に応じた条件を適用した場合には、例えば、電源スイッチ１３ａに対して押圧操作が１回行われると情報処理装置１１を起動させ、所定の時間以内に２回の押圧操作が行われると情報処理装置１２を起動させることができる。【００２４】
以上のように、携帯型装置１０では、電源スイッチ１３ａに対して行われた押圧操作に応じて、情報処理装置１１，１２のいずれか一方を起動させることできる。このため、情報処理装置１１，１２を起動させるための電源スイッチを各々に用意する必要がなく、１つの電源スイッチでユーザが起動させたい装置を容易に起動させることができ、バッテリの消費電力を抑え、携帯型装置１０の操作性が向上する。【００２５】
次に、上記概要を踏まえた実施の形態について図面を参照しながら説明する。なお、以下の実施の形態では、携帯型装置の１例として携帯端末の場合を例に挙げて説明する。
図２は、実施の形態における携帯端末のハードウェア構成を示す図である。【００２６】
携帯端末１００は、コンピュータ装置１１０と携帯電話装置１２０との２つの情報処理装置を並列に実行可能な端末装置である。コンピュータ装置１１０と携帯電話装置１２０とは、バス１０５を介して、表示部１０１、入力部１０２、入出力切換部１０３、電源部１０４および電源管理部１３０に対して共通に接続されている。【００２７】
表示部１０１は、コンピュータ装置１１０および携帯電話装置１２０の各ＣＰＵ１１１，１２１からの命令に従って画像を表示させるモニタを備える。このモニタとしては、例えば、液晶モニタが用いられる。なお、表示部１０１には、コンピュータ装置１１０および携帯電話装置１２０の電源状態を表示するための表示装置が設けられていてもよい。このような表示装置としては、例えば、ＬＥＤ（Light Emitting Diode）素子などを適用できる。【００２８】
入力部１０２は、コンピュータ装置１１０および携帯電話装置１２０への入力を行う。入力部１０２としては、例えば、キーボードおよびポインティングデバイスが用いられる。【００２９】
入出力切換部１０３は、コンピュータ装置１１０と携帯電話装置１２０との操作対象を切り換える。この切り換えによって、表示部１０１への出力元を切り換えることができる。また、同様にして、入力部１０２からの入力先を切り換えることができる。利用者は、例えば、携帯端末１００に設けられた切換スイッチ（図示せず）を操作することにより、入出力切換部１０３に対して、この切り換え動作の実行を指示することができる。【００３０】
電源部１０４は、バッテリ（図示せず）と接続されており、携帯端末１００の各部への電力供給を行う。
電源管理部１３０には、電源部１０４からコンピュータ装置１１０および携帯電話装置１２０への電源供給を制御するための電源スイッチ１３０ａが接続されている。電源管理部１３０は、ユーザによる電源スイッチ１３０ａの操作に応じて、コンピュータ装置１１０または携帯電話装置１２０への電源供給の制御を行う。【００３１】
なお、本実施の形態では、携帯電話機能は携帯電話装置１２０のみで実現されるが、例えばさらに、携帯電話の通話や電子メールの送受信などに必要な処理機能をコンピュータ装置１１０でのソフトウェア処理によって実現し、コンピュータ装置１１０の制御の下で、携帯電話装置１２０の無線通信モジュール１２４を介して通話や電子メールの送受信が可能とされていてもよい。また、コンピュータ装置１１０に、図示はしていないが通信モジュールを備えさせることも可能である。この場合、ネットワークを介した通話、電子メールの送受信およびインターネットの閲覧などに必要な処理機能をコンピュータ装置１１０でのソフトウェア処理によって実現させることが可能となる。【００３２】
また、以上の表示部１０１、入力部１０２、入出力切換部１０３、電源部１０４および電源管理部１３０は、２つの情報処理装置、すなわちコンピュータ装置１１０および携帯電話装置１２０のそれぞれによって共用される構成となっている。また、コンピュータ装置１１０と携帯電話装置１２０との間でも、電源管理部１３０の制御の下で、バス１０５を通じたデータの送受信が可能となっている。しかし、各部の共用のため、あるいはコンピュータ装置１１０と携帯電話装置１２０との間の情報転送のために、他の構成が採用されてもよい。【００３３】
例えば、コンピュータ装置１１０と携帯電話装置１２０との間で直接、情報を受け渡すために、表示部１０１や入力部１０２などと接続するバス１０５とは別のバスが設けられてもよい。この場合、例えば上記のようにコンピュータ装置１１０でも携帯電話の処理機能を実現可能とされていれば、このバスを介して、発呼や着呼、電子メールの送受信などを制御するためのコマンドが携帯電話装置１２０との間で送受信されてもよい。【００３４】
次に、コンピュータ装置１１０および携帯電話装置１２０のハードウェア構成について引き続き図２を参照しながら説明する。
コンピュータ装置１１０は、ＣＰＵ１１１によって統括的に制御されている。ＣＰＵ１１１には、バス１１５を介してＲＡＭ１１２およびフラッシュメモリ１１３が接続されている。【００３５】
ＲＡＭ１１２には、ＣＰＵ１１１に実行させるＯＳやプログラムの少なくとも一部が一時的に格納される。また、ＲＡＭ１１２には、ＣＰＵ１１１による処理に必要な各種データが格納される。【００３６】
フラッシュメモリ１１３には、コンピュータ装置１１０上のＯＳやアプリケーションのプログラムが格納される。また、フラッシュメモリ１１３には、ＣＰＵ１１１による処理に必要な各種データが格納される。【００３７】
携帯電話装置１２０は、ＣＰＵ１２１によって統括的に制御されている。ＣＰＵ１２１には、バス１２５を介してＲＡＭ１２２、フラッシュメモリ１２３および無線通信モジュール１２４が接続されている。また、無線通信モジュール１２４には、アンテナ１２６が接続されている。【００３８】
ＲＡＭ１２２には、ＣＰＵ１２１に実行させるＯＳやプログラムの少なくとも一部が一時的に格納される。また、ＲＡＭ１２２には、ＣＰＵ１２１による処理に必要な各種データが格納される。【００３９】
フラッシュメモリ１２３には、携帯電話装置１２０上のＯＳやアプリケーションのプログラムが格納される。また、フラッシュメモリ１２３には、ＣＰＵ１２１による処理に必要な各種データが格納される。【００４０】
無線通信モジュール１２４は、無線通信のためのＲＦ（Radio Frequency）回路や、送受信信号の変復調回路などを備える。携帯電話装置１２０は、無線通信モジュール１２４およびアンテナ１２６を介して基地局と無線通信することで、他の携帯電話などの情報処理機器との間でデータの送受信や音声通話を行うことが可能になる。【００４１】
以上の構成を有する携帯端末１００において、コンピュータ装置１１０は、例えば、フラッシュメモリ１１３に記憶された種々のアプリケーションプログラムがＣＰＵ１１１により実行されることで動作する、汎用的な情報処理部である。これに対して、携帯電話装置１２０は、例えば、主として携帯電話機能を実現するための処理に特化した情報処理装置である。【００４２】
次に、携帯端末１００の機能構成について説明する。
図３は、実施の形態における携帯端末の機能を示す図である。
図２で示したハードウェア構成を有する携帯端末１００は、コンピュータ装置１１０、携帯電話装置１２０および電源管理部１３０を含んでいる。【００４３】
コンピュータ装置１１０は、ＣＰＵ１１１により各種プログラムを実行することで、データを処理する機能を備えている。さらに、コンピュータ装置１１０は、起動処理部１１０ａを備えている。【００４４】
起動処理部１１０ａは、例えば、起動プログラムがＣＰＵ１１１に実行されることで実現され、状態制御部１３３からの要求に応じて、コンピュータ装置１１０を起動または停止させ、さらに、省電力（サスペンド）状態に制御することができる。【００４５】
携帯電話装置１２０は、アプリケーションプログラムを実行することで通話機能が実現される通話制御部（図示を省略）などを有し、通話用アプリケーションがＣＰＵ１２１により実行されることで通話機能を実現する。さらに、携帯電話装置１２０は、起動処理部１２０ａを備えている。【００４６】
起動処理部１２０ａは、例えば、起動プログラムがＣＰＵ１２１に実行されることで実現され、状態制御部１３３からの要求に応じて、携帯電話装置１２０を起動または停止させ、さらに、サスペンド状態に制御することができる。【００４７】
電源管理部１３０は、押圧検出部１３２および状態制御部１３３を含む。
押圧検出部１３２は、例えば、電源スイッチ１３０ａに対する押圧操作の検知機能、押圧操作時における時間計測機能を備えている。そして、押圧検出部１３２は、電源スイッチ１３０ａに対する押圧操作の種類を、所定の押圧操作条件に従って、検出することができる。この押圧操作条件としては、後述するように、例えば、電源スイッチ１３０ａに対する所定時間内での押圧操作回数、あるいは、連続した押圧操作時間などの条件を適用する。【００４８】
以下に具体例として、電源スイッチ１３０ａに対する０．５秒以内での押圧操作回数を検出する場合について説明する。
押圧検出部１３２は、まず、電源スイッチ１３０ａに対する押圧操作を検知すると、１回目の押圧操作としてカウントする。同時に、時間計測動作を開始し、０．５秒経過するまでに次回の押圧操作を検知すると、２回の連続押圧操作が行われたことを認識して、そのことを状態制御部１３３に通知する。一方、０．５秒経過するまでに次回の押圧操作を検知しなかった場合には、１回の押圧操作が行われたことを認識して、そのことを状態制御部１３３に通知する。【００４９】
また、以下に別の具体例として、電源スイッチ１３０ａに対する押圧時操作時間を検出する場合について説明する。
押圧検出部１３２は、まず、電源スイッチ１３０ａに対する押圧操作を検知すると、同時に、押圧状態が検知されている時間を測定する。そして、押圧状態が連続して検知された時間が例えば１秒間を超えるか否かを判定し、その判定結果を状態制御部１３３に通知する。【００５０】
状態制御部１３３は、押圧検出部１３２の検出結果が通知されると、検出結果に応じて、あらかじめ設定された動作設定に基づき、コンピュータ装置１１０または携帯電話装置１２０の起動要求を行う。例えば、上記の具体例でいえば、状態制御部１３３に、電源スイッチ１３０ａに対して行われた２回の連続押圧操作に対して、コンピュータ装置１１０の起動要求を行うように設定しておく。そして、実際に押圧検出部１３２により２回の連続押圧操作が検知されれば、状態制御部１３３はコンピュータ装置１１０の起動要求を行う。【００５１】
また、状態制御部１３３は、コンピュータ装置１１０または携帯電話装置１２０のいずれか一方の起動後、携帯電話装置１２０を起動させる場合と同じ入力操作が行われた場合には、コンピュータ装置１１０および携帯電話装置１２０のうち通常起動状態とする装置の入れ替え要求を行う。例えば、既に携帯電話装置１２０が起動状態である場合に、電源スイッチ１３０ａに対して携帯電話装置１２０を起動させる場合と同じ押圧操作が行われると、状態制御部１３３は、携帯電話装置１２０がサスペンド状態になるような制御要求を行うとともに、コンピュータ装置１１０の起動要求を行って、コンピュータ装置１１０を通常起動状態に遷移させる。【００５２】
これに対して、コンピュータ装置１１０または携帯電話装置１２０のいずれか一方の起動後、コンピュータ装置１１０を起動させる場合と同じ押圧操作が行われた場合、状態制御部１３３はコンピュータ装置１１０および携帯電話装置１２０の停止要求を行う。【００５３】
このような構成をなす携帯端末１００における電源制御処理の具体的な処理例について説明する。なお、以下では、２種類の押圧操作をそれぞれ適用した場合を例に挙げている。【００５４】
＜処理例１＞
＜処理例１＞では、押圧操作条件として押圧操作回数を用いた場合を例に挙げて説明する。【００５５】
図４は、実施の形態における携帯端末の状態制御部が押圧操作回数に応じて行った処理を示したフローチャートである。
図４で示すフローチャートでは、押圧操作条件の例として、所定時間内での電源スイッチ１３０ａに対する押圧操作回数を用いた。また、状態制御部１３３は、電源スイッチ１３０ａに対する押圧操作回数が１回の場合では携帯電話装置１２０を、２回の場合ではコンピュータ装置１１０をそれぞれ起動させる。さらにこの例では、コンピュータ装置１１０または携帯電話装置１２０のいずれかが起動状態の場合に、状態制御部１３３は、さらに、ユーザによる１回または２回の押圧操作が通知されると、コンピュータ装置１１０および携帯電話装置１２０の電源状態を入れ替えるか、または停止させる。なお、１回目の押圧操作から２回目を検知するまでの時間間隔を０．５秒とした。【００５６】
［ステップＳ１０１］この処理ステップでは、コンピュータ装置１１０および携帯電話装置１２０ともに電源供給が停止された状態であるとする。このとき、電源スイッチ１３０ａに対して押圧操作が行われると、状態制御部１３３は、ユーザによって行われた押圧操作が１回であったか、あるいは２回の連続操作であったかの通知を、押圧検出部１３２から受け付ける。【００５７】
その後の処理は、１回の押圧操作が通知されたらステップＳ１０２へ、２回の押圧操作が通知されたらステップＳ１０３へ進められる。
［ステップＳ１０２］状態制御部１３３は、１回の押圧操作が通知されると、携帯電話装置１２０の起動処理部１２０ａに起動要求を通知する。これによって、携帯電話装置１２０のみが起動される。【００５８】
［ステップＳ１０３］状態制御部１３３は、２回の押圧操作が通知されると、コンピュータ装置１１０の起動処理部１１０ａに起動要求を通知する。これによって、コンピュータ装置１１０のみが起動される。【００５９】
［ステップＳ１０４］コンピュータ装置１１０または携帯電話装置１２０のいずれかが起動状態であるときに、ユーザにより再び電源スイッチ１３０ａに対して押圧操作が行われる。すると、再び、状態制御部１３３には、ユーザによって電源スイッチ１３０ａに対して行われた押圧操作の回数が１回であるか、連続２回であるかが押圧検出部１３２から通知される。そして、その後の処理は、１回の押圧操作が通知されたらステップＳ１０５へ、２回の押圧操作が通知されたらステップＳ１０６へ進められる。【００６０】
［ステップＳ１０５］状態制御部１３３は、１回の押圧操作が通知されると、コンピュータ装置１１０および携帯電話装置１２０のうち通常起動状態である装置を入れ替える。例えば、既に、携帯電話装置１２０が起動状態であって、コンピュータ装置１１０が停止状態（または、サスペンド状態）であるとする。このときに、押圧操作が１回行われると、状態制御部１３３は、起動処理部１２０ａに対して、携帯電話装置１２０を停止状態（または、サスペンド状態でもよい）になるように制御要求を行い、起動処理部１１０ａに対して、コンピュータ装置１１０の起動要求を行う。【００６１】
逆に、コンピュータ装置１１０が起動状態であって、携帯電話装置１２０が停止状態（または、サスペンド状態）であるとする。このときに、押圧操作が１回行われると、状態制御部１３３は、起動処理部１１０ａに対して、コンピュータ装置１１０を停止状態（または、サスペンド状態でもよい）になるように制御要求を行い、起動処理部１２０ａに対して、携帯電話装置１２０の起動要求を行う。【００６２】
そして、その後の処理は再びステップＳ１０４へ進められ、ユーザによる電源スイッチ１３０ａに対する押圧操作が待機される。
［ステップＳ１０６］状態制御部１３３は、２回の押圧操作が通知されると、コンピュータ装置１１０および携帯電話装置１２０を停止させる。例えば、既に、コンピュータ装置１１０がサスペンド状態であって、携帯電話装置１２０が起動状態であるとする。このとき、押圧操作が連続２回行われると、状態制御部１３３は、起動処理部１１０ａ，１２０ａに対して、サスペンド状態のコンピュータ装置１１０および起動状態の携帯電話装置１２０が停止状態になるように、停止要求を行う。【００６３】
逆に、既に、携帯電話装置１２０がサスペンド状態であって、コンピュータ装置１１０が起動状態であるとする。このとき、押圧操作が連続２回行われると、状態制御部１３３は、起動処理部１２０ａ，１１０ａに対して、サスペンド状態の携帯電話装置１２０および起動状態のコンピュータ装置１１０が停止状態になるように、停止要求を行う。【００６４】
その後の処理はステップＳ１０１へ進められ、再び、ユーザによる電源スイッチ１３０ａに対する押圧操作が待機される。
なお、＜処理例１＞では、ステップＳ１０１の判定処理で、電源スイッチ１３０ａに対する押圧操作回数が１回か２回かによって、コンピュータ装置１１０または携帯電話装置１２０のいずれか一方を起動させる場合について説明した。これに、例えば、ステップＳ１０１において、所定時間内での押圧回数が３回である場合にはコンピュータ装置１１０および携帯電話装置１２０を同時に起動させるようにすることも可能である。あるいは、ステップＳ１０１において２回の押圧操作が検知された場合には、ステップＳ１０３においてコンピュータ装置１１０と携帯電話装置１２０の両方を起動させるようにしてもよい。【００６５】
コンピュータ装置１１０および携帯電話装置１２０を同時に起動させることで、例えば、携帯電話の通話や電子メールの送受信などに必要な処理機能をコンピュータ装置１１０でのソフトウェア処理によって実現し、コンピュータ装置１１０の制御の下で、携帯電話装置１２０の無線通信モジュール１２４を介して通話や電子メールの送受信が可能となる。あるいは、これらを同時に起動させることで、コンピュータ装置１１０において所望のプログラムを実行させながら、携帯電話装置１２０を待ち受け状態とすることもできる。【００６６】
＜処理例２＞
＜処理例２＞では、押圧操作条件が押圧操作時間である場合を例に挙げて説明する。
図５は、実施の形態における携帯端末の状態制御部が押圧操作時間に応じて行った処理を示したフローチャートである。【００６７】
図５で示すフローチャートでは、押圧操作条件の例として、電源スイッチ１３０ａに対する連続押圧操作時間を用いた。また、例として、電源スイッチ１３０ａに対する押圧操作時間が１秒未満の場合では携帯電話装置１２０を、１秒以上の場合ではコンピュータ装置１１０をそれぞれ起動させる。さらに、コンピュータ装置１１０または携帯電話装置１２０のいずれかが起動状態であるときに、状態制御部１３３は、１秒未満または１秒以上かが通知されると、コンピュータ装置１１０および携帯電話装置１２０の電源状態を入れ替えるか、または停止させる。【００６８】
［ステップＳ２０１］この処理ステップでは、コンピュータ装置１１０および携帯電話装置１２０ともに電源供給が停止された状態であるとする。このとき、電源スイッチ１３０ａに対して押圧操作が行われると、状態制御部１３３は、ユーザによって行われた押圧操作が１秒未満の押圧操作であったか、または１秒以上の押圧操作であったかの通知を、押圧検出部１３２から受け取る。その後の処理は、１秒未満の押圧操作が通知されたらステップＳ２０２へ、１秒以上の押圧操作が通知されたらステップＳ２０３へ進められる。【００６９】
［ステップＳ２０２］状態制御部１３３は、１秒未満の押圧操作が通知されると、携帯電話装置１２０の起動処理部１２０ａに対して、起動要求を行う。これによって、携帯電話装置１２０のみが起動される。【００７０】
［ステップＳ２０３］状態制御部１３３は、１秒以上の押圧操作が通知されると、コンピュータ装置１１０の起動処理部１１０ａに起動要求を通知する。これによって、コンピュータ装置１１０のみが起動する。【００７１】
［ステップＳ２０４］コンピュータ装置１１０または携帯電話装置１２０のいずれかが起動状態であるときに、ユーザにより再び電源スイッチ１３０ａに対して押圧操作が行われる。すると、再び、状態制御部１３３には、ユーザによって電源スイッチ１３０ａに対して行われた押圧操作の時間が１秒未満または１秒以上であるかが押圧検出部１３２から通知される。【００７２】
そして、その後の処理は、１秒未満の押圧操作が通知されたらステップＳ２０５へ、１秒以上の押圧操作が通知されたらステップＳ２０６へ進められる。
［ステップＳ２０５］状態制御部１３３は、１秒未満の押圧操作が通知されると、コンピュータ装置１１０および携帯電話装置１２０のうち通常起動状態である装置を入れ替える。例えば、既に、携帯電話装置１２０が起動状態であって、コンピュータ装置１１０が停止状態（または、サスペンド状態）であるとする。このときに、１秒未満の押圧操作が行われると、状態制御部１３３は、起動処理部１２０ａに対して、携帯電話装置１２０をサスペンド状態（または、停止状態でもよい）になるように制御要求を行い、起動処理部１１０ａに対して、コンピュータ装置１１０の起動要求を行う。【００７３】
逆に、コンピュータ装置１１０が起動状態であって、携帯電話装置１２０が停止状態（または、サスペンド状態）であるとする。このとき、１秒未満の押圧操作が行われると、状態制御部１３３は、起動処理部１１０ａに対して、コンピュータ装置１１０をサスペンド状態（または、停止状態でもよい）になるように制御要求を行い、起動処理部１２０ａに対して、携帯電話装置１２０の起動要求を行う。【００７４】
そして、その後の処理は再びステップＳ２０４へ進められ、ユーザによる電源スイッチ１３０ａに対する押圧操作が待機される。
［ステップＳ２０６］状態制御部１３３は、１秒以上の押圧操作が通知されると、コンピュータ装置１１０および携帯電話装置１２０を停止させる。例えば、既に、コンピュータ装置１１０がサスペンド状態であって、携帯電話装置１２０が起動状態であるとする。このときに、１秒以上の押圧操作が行われると、状態制御部１３３は、起動処理部１１０ａ，１２０ａに対して、サスペンド状態のコンピュータ装置１１０および起動状態の携帯電話装置１２０が停止状態になるように、停止要求を行う。【００７５】
その後の処理はステップＳ２０１へ進められ、再び、ユーザによる電源スイッチ１３０ａに対する押圧操作が待機される。
なお、＜処理例２＞では、ステップＳ２０１の判定処理で、電源スイッチ１３０ａに対する押圧操作時間が１秒未満または１秒以上かによって、携帯電話装置１２０またはコンピュータ装置１１０を起動させる場合について説明した。これに、例えば、ステップＳ２０１において、押圧操作時間が２秒以上である場合にはコンピュータ装置１１０および携帯電話装置１２０を同時に起動させることも可能である。あるいは、ステップＳ２０１において２秒の押圧操作時間が検知された場合には、ステップＳ２０３において、コンピュータ装置１１０と携帯電話装置１２０の両方を起動させるようにしてもよい。【００７６】
＜処理例３＞
＜処理例３＞では、上記で説明したような押圧操作回数および押圧操作時間を組み合わせた起動の場合を例に挙げて説明する。【００７７】
図６は、実施の形態における携帯端末の状態制御部が押圧操作回数および押圧操作時間に応じて行った処理を示したフローチャートである。なお、以下に説明する押圧操作回数および押圧操作時間を組み合わせた起動方法は１例であって、他の組み合わせでも構わない。【００７８】
図６で示すフローチャートでは、押圧操作条件に押圧操作回数および押圧操作時間を用いた。押圧操作回数および押圧操作時間の条件については＜処理例１＞および＜処理例２＞と同じとする。【００７９】
［ステップＳ３０１］この処理ステップでは、コンピュータ装置１１０および携帯電話装置１２０ともに電源供給が停止された状態であるとする。このとき、電源スイッチ１３０ａに対して押圧操作が行われると、状態制御部１３３は、ユーザによって行われた押圧操作が１回であったか、あるいは２回の連続操作であったかの通知を、押圧検出部１３２から受け付ける。【００８０】
そして、その後の処理は、１回の押圧操作が通知されたらステップＳ３０２へ、２回の押圧操作が通知されたらステップＳ３０３へ進められる。
［ステップＳ３０２］状態制御部１３３は、１回の押圧操作が通知されると、携帯電話装置１２０の起動処理部１２０ａに起動要求を通知する。これによって、携帯電話装置１２０のみが起動される。【００８１】
［ステップＳ３０３］状態制御部１３３は、２回の押圧操作が通知されると、コンピュータ装置１１０の起動処理部１１０ａに起動要求を通知する。これによって、コンピュータ装置１１０のみが起動される。【００８２】
［ステップＳ３０４］コンピュータ装置１１０または携帯電話装置１２０のいずれかが起動状態であるときに、ユーザにより再び電源スイッチ１３０ａに対して押圧操作が行われる。すると、再び、状態制御部１３３は、ユーザによって電源スイッチ１３０ａに対して行われた押圧操作の時間が１秒未満または１秒以上であるかが押圧検出部１３２から通知される。【００８３】
そして、その後の処理は、１秒未満の押圧操作が通知されたらステップＳ３０５へ、１秒以上の押圧操作が通知されたらステップＳ３０６へ進められる。
［ステップＳ３０５］状態制御部１３３は、１秒未満の押圧操作が通知されると、コンピュータ装置１１０および携帯電話装置１２０のうち通常起動状態である装置を入れ替える。例えば、上述の通り、既に、携帯電話装置１２０が起動状態であって、コンピュータ装置１１０が停止状態（または、サスペンド状態）であるとする。このときに、１秒未満の押圧操作が行われると、状態制御部１３３は、起動処理部１２０ａに対して、携帯電話装置１２０をサスペンド状態（または、停止状態でもよい）になるように制御要求を行い、起動処理部１１０ａに対して、コンピュータ装置１１０の起動要求を行う。【００８４】
逆に、コンピュータ装置１１０が起動状態であって、携帯電話装置１２０が停止状態（または、サスペンド状態）であるとする。このとき、１秒未満の押圧操作が行われると、状態制御部１３３は、起動処理部１１０ａに対して、コンピュータ装置１１０をサスペンド状態（または、停止状態でもよい）になるように制御要求を行い、起動処理部１２０ａに対して、携帯電話装置１２０の起動要求を行う。【００８５】
そして、その後の処理は再びステップＳ３０４へ進められ、ユーザによる電源スイッチ１３０ａに対する押圧操作が待機される。
［ステップＳ３０６］状態制御部１３３は、１秒以上の押圧操作が通知されると、コンピュータ装置１１０および携帯電話装置１２０を停止する。例えば、既に、コンピュータ装置１１０がサスペンド状態であって、携帯電話装置１２０が起動状態であるとする。このときに、１秒以上の押圧操作が行われると、状態制御部１３３は、起動処理部１１０ａ，１２０ａに対して、サスペンド状態のコンピュータ装置１１０および起動状態の携帯電話装置１２０がそれぞれ停止状態になるように、停止要求を行う。【００８６】
ここで、電源スイッチ１３０ａを一定時間以上押圧することで装置をシャットダウンさせることは、比較的一般的な操作方法である。このため、上記処理で、電源スイッチ１３０ａに対して１秒以上押圧操作が行われたときに、コンピュータ装置１１０および携帯電話装置１２０の両方を停止させるようにすることで、ユーザにとって自然な操作で実現できる。【００８７】
その後の処理はステップＳ３０１へ進められ、再び、ユーザによる電源スイッチ１３０ａに対する押圧操作が待機される。
なお、上記の各処理例において、コンピュータ装置１１０および携帯電話装置１２０の両方が停止状態である場合の判定処理（ステップＳ１０１，Ｓ２０１，Ｓ３０１に対応）では、電源スイッチ１３０ａの押圧操作回数および押圧操作時間の条件を組み合わせて、携帯電話装置１２０のみ起動、コンピュータ装置１１０のみ起動、両方起動という３種類の処理のいずれかを実行するようにしてもよい。例えば、電源スイッチ１３０ａの押圧操作が検知されたとき、押圧操作時間が所定時間未満であるときは、最初の押圧操作の検知時（あるいは押圧操作の解除の検知時）から所定時間以内に２回目の押圧操作が検知されるか否かにより、コンピュータ装置１１０または携帯電話装置１２０のいずれかのみを起動させる。また、最初の押圧操作時間が所定時間以上続いた場合には、コンピュータ装置１１０と携帯電話装置１２０の両方を起動させる。【００８８】
また、上記の各処理例において、起動処理部１１０ａ，１２０ａの制御（または状態制御部１３３の制御）の下で、コンピュータ装置１１０および携帯電話装置１２０の電源状態に応じて、表示装置に異なる表示を実行させることができる。例えば、表示装置としてＬＥＤ素子を用いた場合には、通常起動状態ではＬＥＤ素子を点灯させ、サスペンド状態ではＬＥＤ素子を点滅させ、停止状態ではＬＥＤ素子を消灯させるようにすることが可能である。このような表示装置を設けることにより、上記のステップＳ１０４，Ｓ２０４，Ｓ３０４において、ユーザは現在の電源状態を認識した上で電源スイッチ１３０ａへの押圧操作を行うことが可能になる。【００８９】
なお、＜処理例３＞では、ステップＳ３０１の判定処理で、電源スイッチ１３０ａに対する押圧操作回数が１回か２回かによって、コンピュータ装置１１０または携帯電話装置１２０のいずれか一方を起動させる場合について説明した。これに、例えば、ステップＳ３０１において、所定時間内での押圧回数が３回である場合にはコンピュータ装置１１０および携帯電話装置１２０を同時に起動させるようにすることも可能である。あるいは、ステップＳ３０１において２回の押圧操作が検知された場合には、ステップＳ３０３においてコンピュータ装置１１０と携帯電話装置１２０の両方を起動させるようにしてもよい。【００９０】
以上のように、携帯端末１００では、電源スイッチ１３０ａへの押圧操作条件に応じて、コンピュータ装置１１０および携帯電話装置１２０のいずれか一方を起動させることができる。このため、コンピュータ装置１１０および携帯電話装置１２０を起動させるための電源スイッチ１３０ａを各々に用意する必要がなく、１つの電源スイッチ１３０ａでユーザが起動させたい装置を容易に起動させ、また必要に応じて起動状態とする装置を入れ替えることができて、バッテリの消費電力を抑え、携帯端末１００の操作性が向上する。【００９１】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００９２】
１０  携帯型装置
１１，１２  情報処理装置
１３  電源管理部
１３ａ  電源スイッチ
１３ｂ  検出部
１３ｃ  状態制御部
【図１】
2009118891.tif 000003
【図２】
2009118891.tif 000004
【図３】
2009118891.tif 000005
【図４】
2009118891.tif 000006
【図５】
2009118891.tif 000007
【図６】
2009118891.tif 000008
【国際調査報告】
2009118891.tif 000009
2009118891.tif 000010